(57)【要約】【課題】取付孔から簡単に取外すことができる２ピースクリップを提供する。【解決手段】この２ピースクリップ１０は、グロメット３０とピン状部材６０とを備え、グロメット３０は、脚部３７と、側壁４１にスリット４３を介して形成された弾性係合片４５と、摺動突起４９とを有し、ピン状部材６０は、スリット４３に差し込まれる差込片６３を有し、差込片３７の内側面に、摺動突起４９を脚部３７の内方に導く第１斜面部７１と、摺動突起７１を脚部３７の最も内方に位置させる頂部７３と、摺動突起４９を脚部３７の外方に導く第２斜面部７５と、摺動突起４９を規制しない開放部７７とが連続して形成されたカム７０が設けられ、摺動突起４９が頂部３７に位置する状態では、弾性係合片４５が取付孔５に係合しない程度に内方に撓むように構成され、その状態でグロメット３０に対してピン状部材６０が仮保持される。【選択図】図１
2007315517.tif 000002
【特許請求の範囲】
【請求項１】
グロメットと、該グロメットに抜き差しされるピン状部材とを備え、被取付部材に形成された取付孔に固定される２ピースクリップであって、
前記グロメットは、前記取付孔の表側周縁に当接すると共に前記ピン状部材が挿通される挿通孔が設けられたフランジ部と、該フランジ部の挿通孔周縁から筒状に延設された脚部と、該脚部の少なくとも一つの側壁にスリットを介して脚部の内側及び外側に撓み可能に形成されると共に、前記取付孔の裏側周縁に係合する弾性係合片と、該弾性係合片の少なくとも一側部から突設された摺動突起とを有し、
前記ピン状部材は、前記脚部の前記摺動突起が位置するスリットに差し込まれる差込片を有しており、
該差込片の内側面には、前記差込片の先端側から基端側に向けて、前記摺動突起を前記脚部の内方に導くように傾斜した第１斜面部と、該第１斜面の終端にて前記摺動突起を前記脚部の最も内方に位置させる頂部と、前記摺動突起を前記脚部の外方に導くように傾斜した第２斜面部と、前記摺動突起を規制しない開放部とが連続して形成されたカムが設けられ、前記摺動突起が前記頂部に位置する状態では、前記弾性係合片が前記取付孔に係合しない程度に内方に撓むように構成されていることを特徴とする２ピースクリップ。
【請求項２】
前記差込片と前記脚部との間には、前記摺動突起が前記頂部に位置するように、前記ピン状部材を前記グロメットに押し込んだ状態で、前記ピン状部材を前記グロメットに仮保持させる第１係合部が設けられている請求項１記載の２ピースクリップ。
【請求項３】
前記ピン状部材には、前記ピン状部材を前記グロメットに最大限に押し込んだ状態で、前記弾性係合片に当接して該弾性係合片の内方への撓みを規制するロック部が設けられている請求項２記載の２ピースクリップ。
【請求項４】
前記差込片と前記脚部との間には、前記摺動突起が前記頂部に位置するように、前記ピン状部材を前記グロメットに押し込んだ状態で、前記ピン状部材を前記グロメットに仮保持させる第１係合部と、前記摺動突起が前記開放部に位置し、かつ、前記ロック部が前記弾性係合片に当接していない状態で、前記ピン状部材を前記グロメットに仮保持させる第２係合部と、前記摺動突起が前記開放部に位置し、かつ、前記ロック部が前記弾性係合片に当接した状態で、前記ピン状部材を前記グロメットに保持させる第３係合部とが設けられており、
前記第２係合部による保持力は、前記ピン状部材を前記グロメットに前記第２係合部により仮保持させた状態で、前記ピン状部材を押しながら前記グロメットの脚部を前記取付孔に押し込む際に、前記弾性係合片と取付孔内周との摺接によって発生する抵抗力よりも強くなるように設定されている請求項３記載の２ピースクリップ。
【請求項５】
前記差込片と前記脚部との間の一方には、前記差込片の先端側又は前記脚部の基端側から押し込み方向に沿って所定間隔で形成された第１突起、第２突起及び第３突起が設けられ、前記差込片と前記脚部との間の他方には、前記第１突起、第２突起及び第３突起がスライド可能に挿入される溝部と、前記差込片の先端側又は前記脚部の基端側から押し込み方向に沿って所定間隔で前記溝部の内側に形成された第１凸部及び第２凸部とが設けられており、
前記第１突起、第２突起及び第３突起と、前記第１凸部及び第２凸部とによって、前記第１係合部、第２係合部及び第３係合部が構成されており、
前記第１係合部による係合は、前記第１凸部の前後に前記第３突起と前記第２突起とが係合することによってなされ、前記第２係合部による係合は、第１凸部の後方に第３突起が係合し、第２凸部の前方に第１突起が係合することによってなされ、前記第３係合部による係合は、第２凸部の後方に前記第１突起が係合することによってなされる請求項４記載の２ピースクリップ。
【発明の詳細な説明】
【技術分野】
【０００１】
本発明は、グロメットとピンとから構成され、例えば、自動車の内装部材をパネル部材に固定したり、複数のパネル部材同士を連結したりすることができる２ピースクリップに関する。
【背景技術】
【０００２】
従来のこの種の２ピースクリップとして、下記特許文献１には、グロメット（クリップ本体）と、ピンとを備え、前記グロメットは、ピン挿入孔を有する環状のフランジ部（頭部）と、前記ピン挿入孔周縁から垂設されると共に、スリットを介して複数に分割され、その先端部が内側に屈曲された脚片と、該脚片の側面にコ字状スリットを介して撓み可能に形成され、その先端部に凸部が突設された弾性係止片とを有し、前記ピンは、軸部と、該軸部の先端に設けられた傘状の挿入頭部と、該挿入頭部から軸方向に所定間隔をあけて設けられ、その外周に溝部が形成された拡径軸部とを有する２ピースクリップ（結合クリップ）が開示されている。
【０００３】
そして、グロメットの脚片を、第１板材の取付孔に挿入すると、取付孔内周に前記弾性係止片が押圧されて内側に撓み、取付孔の裏側に抜け出ると弾性復帰して、凸部が取付孔の裏側周縁に係合して、グロメットが第１板材に仮固定される。次いで、第２板材の取付孔にグロメットを挿入して、ピンをグロメットに差し込んでいくと、拡径軸部によって複数の脚片が押し広げられると共に、その溝部に脚片の先端部が嵌合して、第２板材の取付孔の裏側周縁に脚片が係合し、その結果、グロメットのフランジ部と脚片とによって、第１，第２の板材が挟み付けられて連結される。また、この連結状態からピンを押し込むと、脚片の先端部が溝部から抜け出て各脚片が窄まるので、第２板材の取付孔からクリップを引き抜くことが可能となり、第２板材から第１板材を取外すことができる。
【特許文献１】実開平２−４７４１４号公報
【発明の開示】
【発明が解決しようとする課題】
【０００４】
ところで、クリップの交換や廃棄等の理由によって、２ピースクリップを取付孔から取外したい場合がある。しかしながら、上記２ピースクリップの場合、第２板材から第１板材を取外した後も、弾性係止片の先端部に形成された凸部が第１板材の裏側周縁に係合したままの状態であるので、フランジ部を把持して取付孔からグロメットを引張っても、前記凸部が取付孔周縁に引っ掛かってしまって、クリップを第１部材から取外すことが難しかった。
【０００５】
したがって、本発明の目的は、必要に応じて取付孔から簡単に取外すことができる２ピースクリップを提供することにある。
【課題を解決するための手段】
【０００６】
上記目的を達成するため、本発明の第１は、グロメットと、該グロメットに抜き差しされるピン状部材とを備え、被取付部材に形成された取付孔に固定される２ピースクリップであって、前記グロメットは、前記取付孔の表側周縁に当接すると共に前記ピン状部材が挿通される挿通孔が設けられたフランジ部と、該フランジ部の挿通孔周縁から筒状に延設された脚部と、該脚部の少なくとも一つの側壁にスリットを介して脚部の内側及び外側に撓み可能に形成されると共に、前記取付孔の裏側周縁に係合する弾性係合片と、該弾性係合片の少なくとも一側部から突設された摺動突起とを有し、前記ピン状部材は、前記脚部の前記摺動突起が位置するスリットに差し込まれる差込片を有しており、該差込片の内側面には、前記差込片の先端側から基端側に向けて、前記摺動突起を前記脚部の内方に導くように傾斜した第１斜面部と、該第１斜面の終端にて前記摺動突起を前記脚部の最も内方に位置させる頂部と、前記摺動突起を前記脚部の外方に導くように傾斜した第２斜面部と、前記摺動突起を規制しない開放部とが連続して形成されたカムが設けられ、前記摺動突起が前記頂部に位置する状態では、前記弾性係合片が前記取付孔に係合しない程度に内方に撓むように構成されていることを特徴とする２ピースクリップを提供するものである。
【０００７】
上記発明によれば、スリットに差込片を整合させて、グロメットにピン状部材を押し込んでいくと、摺動突起がカムの第１斜面部に当接して弾性係合片が脚部の内方に撓み、摺動突起が頂部に至ると弾性係合片が最大限に内方に撓み、摺動突起が第２斜面部に当接すると弾性係合片が再び外方に開き、摺動突起が開放部に至ると弾性係合片が内方に撓み可能な状態で最大限に外方に開いた状態となる。
【０００８】
そこで、摺動突起が開放部に至るまでピン状部材をグロメットに挿入し、その状態でグロメットの脚部を被取付部材の取付孔に挿入すると、弾性係合片が内側に撓みつつ取付孔を通過して、取付孔の裏側周縁に係合する。その結果、取付孔の表側周縁に係合するグロメットのフランジ部と、取付孔の裏側周縁に係合する弾性係合片との間で被取付部材を挟持して、２ピースクリップ（以下、単に「クリップ」とする）を被取付部材に固定することができる。
【０００９】
そして、クリップを取外したい場合には、グロメットに対してピン状部材を引き抜いていくと、摺動突起が第２斜面部を前記とは逆方向に移動して、弾性係合片が次第に脚部の内方に撓み、摺動突起が頂部に当接して弾性係合片が最大限に内方に撓んだ状態にさせることができる。この状態では弾性係合片が取付孔に係合しない程度に内方に撓んでいるので、グロメットの脚部を取付孔からスムーズに抜き出して、クリップを容易に取外すことができる。
【００１０】
本発明の第２は、前記第１の発明において、前記差込片と前記脚部との間には、前記摺動突起が前記頂部に位置するように、前記ピン状部材を前記グロメットに押し込んだ状態で、前記ピン状部材を前記グロメットに仮保持させる第１係合部が設けられている２ピースクリップを提供するものである。
【００１１】
上記発明によれば、第１係合部によってピン状部材をグロメットに仮保持させて、弾性係合片が最大限に内方に撓んだ状態を維持することができるので、より確実にグロメットの脚部を取付孔から抜き出して、クリップを取外すことが可能となる。
【００１２】
本発明の第３は、前記第２の発明において、前記ピン状部材には、前記ピン状部材を前記グロメットに最大限に押し込んだ状態で、前記弾性係合片に当接して該弾性係合片の内方への撓みを規制するロック部が設けられている２ピースクリップを提供するものである。
【００１３】
上記発明によれば、クリップを取付孔に挿入し、取付孔の裏側周縁に弾性係合片を係合させた状態で、ピン状部材をグロメットに対して最大限に押し込むと、ロック部が弾性係合片に当接して弾性係合片の内方への撓みが規制されるので、取付孔に対して横方向の力などがクリップに作用しても、弾性係合片が内側に撓むことがなく、クリップのガタ付きや抜けを防止して、固定状態を確実に維持することができる。
【００１４】
本発明の第４は、前記第３の発明において、前記差込片と前記脚部との間には、前記摺動突起が前記頂部に位置するように、前記ピン状部材を前記グロメットに押し込んだ状態で、前記ピン状部材を前記グロメットに仮保持させる第１係合部と、前記摺動突起が前記開放部に位置し、かつ、前記ロック部が前記弾性係合片に当接していない状態で、前記ピン状部材を前記グロメットに仮保持させる第２係合部と、前記摺動突起が前記開放部に位置し、かつ、前記ロック部が前記弾性係合片に当接した状態で、前記ピン状部材を前記グロメットに保持させる第３係合部とが設けられており、前記第２係合部による保持力は、前記ピン状部材を前記グロメットに前記第２係合部により仮保持させた状態で、前記ピン状部材を押しながら前記グロメットの脚部を前記取付孔に押し込む際に、前記弾性係合片と取付孔内周との摺接によって発生する抵抗力よりも強くなるように設定されている２ピースクリップを提供するものである。
【００１５】
上記発明によれば、第２係合部によりピン状部材をグロメットに仮保持させた状態で、ピン状部材を押しながらグロメットの脚部を取付孔に押し込む際に、弾性係合片と取付孔内周との摺接によって発生する抵抗力よりも強くなるように設定されているので、ピン状部材がグロメットに押し込まれてしまうことなく、弾性係合片が内側に撓んで取付孔を通過して取付孔の裏側周縁に係合し、クリップを固定することができる。その状態で、更にピン状部材をグロメットに押し込むことにより、ロック部が弾性係合片の内側に当接して弾性係合片の内側への撓みが規制されると共に、第３係合部によってグロメットに対する上記ピン状部材の押し込み位置が保持される。
【００１６】
本発明の第５は、前記第４の発明において、前記差込片と前記脚部との間の一方には、前記差込片の先端側又は前記脚部の基端側から押し込み方向に沿って所定間隔で形成された第１突起、第２突起及び第３突起が設けられ、前記差込片と前記脚部との間の他方には、前記第１突起、第２突起及び第３突起がスライド可能に挿入される溝部と、前記差込片の先端側又は前記脚部の基端側から押し込み方向に沿って所定間隔で前記溝部の内側に形成された第１凸部及び第２凸部とが設けられており、前記第１突起、第２突起及び第３突起と、前記第１凸部及び第２凸部とによって、前記第１係合部、第２係合部及び第３係合部が構成されており、前記第１係合部による係合は、前記第１凸部の前後に前記第３突起と前記第２突起とが係合することによってなされ、前記第２係合部による係合は、第１凸部の後方に第３突起が係合し、第２凸部の前方に第１突起が係合することによってなされ、前記第３係合部による係合は、第２凸部の後方に前記第１突起が係合することによってなされる２ピースクリップを提供するものである。
【００１７】
上記発明によれば、前記差込片と前記脚部との間に設けた、第１突起、第２突起及び第３突起と、第１凸部及び第２凸部とによって、第１係合部、第２係合部及び第３係合部を構成することができ、それぞれの係合部を比較的簡単な構造によって実現することができる。また、前記差込片と前記脚部との間の一方に設けた第１突起、第２突起及び第３突起が、他方に設けた溝部にスライド可能に挿入されるので、ピン状部材をグロメットに挿入する際のガイドになると共に、第１係合部、第２係合部及び第３係合部による係合を確実に行わせることができる。
【発明の効果】
【００１８】
本発明の２ピースクリップによれば、摺動突起が開放部に至るまでピン状部材をグロメットに挿入した状態で、グロメットの脚部を被取付部材の取付孔に挿入すると、弾性係合片が内側に撓みつつ取付孔を通過して、その裏側周縁に係合し、取付孔の表側周縁に係合するフランジ部と、前記弾性係合片との間で被取付部材を挟持して、２ピースクリップを被取付部材に固定できる。
【００１９】
また、クリップを取外したい場合には、グロメットに対してピン状部材を引き抜いていくと、摺動突起が第２斜面部を移動して、弾性係合片が次第に脚部の内方に撓み、摺動突起が頂部に当接して弾性係合片が最大限に内方に撓んだ状態にさせることがことができ、この状態では弾性係合片が取付孔に係合しない程度に内方に撓んでいるので、グロメットの脚部を取付孔からスムーズに抜き出して、クリップを容易に取外すことができる。
【発明を実施するための最良の形態】
【００２０】
以下、図１〜１１を参照して、本発明の２ピースクリップの一実施形態を説明する。
【００２１】
図１に示すように、この２ピースクリップ１０（以下、「クリップ１０」という）は、被取付部材１に形成された角形状の取付孔５に固定されるものであって、グロメット３０と、該グロメット３０に抜き差しされるピン状部材６０とから構成されている。この実施形態の場合、被取付部材１に２ピースクリップを単に取付ける構成となっているが、例えば、内装部材（ガーニッシュやトリムボード等）を自動車のパネル部材等の被取付部材に固定したり、複数のパネル部材を連結したりするために用いることもできる。
【００２２】
図２〜４を参照すると、クリップ１０を構成するグロメット３０は、被取付部材１の取付孔の表側周縁に当接する環状のフランジ部３１を有している。このフランジ部３１には、ピン状部材６０が挿通されるほぼ長方形状の挿通孔３３が設けられている。また、フランジ部３１の上面（ピン状部材６０の挿入側の面）は、その内側がやや凹んだ形状をなし、前記挿通孔３３の長手方向両端側の外周縁部に、対向して一対の工具差込溝３５，３５が形成されている（図３参照）。なお、フランジ部３１は、この実施形態のように、被取付部材１の取付孔５の表側周縁に直接的に当接する場合だけではなく、例えば、被取付部材１の上面にトリム部材等が配置される場合には、該トリム部材を介して間接的に取付孔５の表側周縁に当接するようにしてもよい。
【００２３】
また、フランジ部３１の下面の前記挿通孔３３の周縁から、複数の側壁からなる有底の角筒状の脚部３７が延設されている。具体的には、この脚部３７は、挿通孔３３の長手方向周縁から対向して立設した一対の側壁３９，３９と、該各側壁３９，３９の端部同士を連結するもう一対の側壁４１，４１と、これらの側壁の下端部を連結する底壁４２とで構成されている。また、底壁４２周縁と各側壁との連結部には、取付孔５への挿入性を確保するために、面取部３７ａが形成されている。
【００２４】
図２（ａ），（ｂ）を参照すると、脚部３７の対向する一対の側壁４１には、コ字状のスリット４３がそれぞれ設けられており、このスリット４３によって、脚部３７の内側及び外側に撓み可能とされた弾性係合片４５がそれぞれ形成されている。この弾性係合片４５は、基部側が底壁４２に連結され、フランジ部３１方向に延出された形状をなしている。また、弾性係合片４５の基部側の外側面には、フランジ部３１に向かうにつれて次第に外方に突出した外方突出面４６が形成され、取付孔５に挿入しやすくなっている。この外方突出面４６よりフランジ部３１側であって、弾性係合片４５の先端部の外側面には、下側段部４７及び上側段部４８が形成されていて、図１１に示すように、被取付部材１が薄い場合には、上側段部４８が取付孔５の裏側周縁に係合し（図１１中、右側参照）、被取付部材１が厚い場合には、下側段部４７が取付孔５の裏側周縁に係合して（図１１中、左側参照）、被取付部材１の板厚に対応して係合位置を変更できるようになっている。
【００２５】
また、各弾性係合片４５の先端部の幅方向の両側部には、一対の摺動突起４９，４９が突設されている。各摺動突起４９は、図２（ａ）及び図８の部分拡大図に示すように側方から見たとき、略台形の断面形状をなしており、弾性係合片４５の内側面寄りに形成されている。
【００２６】
更に、図３及び図４（ａ），（ｂ）に示すように、弾性係合片４５が設けられていない側壁３９，３９の内面であって、その幅方向中央部には、グロメット３０に対してピン状部材６０を押し込む方向（以下、「ピン状部材の押し込み方向」という）に沿って、所定深さで溝部５１が設けられている。この溝部５１は、一端が前記フランジ部３１の挿通孔３３に連通し、他端が底壁５２を貫通している。
【００２７】
また、各溝部５１の内側には、ピン状部材の押し込み方向に沿って所定間隔をあけて、第１凸部５３及び第２凸部５５が設けられている。図４（ａ），（ｂ）を参照すると、第１凸部５３及び第２凸部５５は、溝部５１の幅方向の中心線Ｓ１に対して左右に分かれて設けられており、これによって上下に分かれた金型による成形が可能とされている。第１凸部５３は、前記フランジ部３１の内周にあって、溝部５１の一方の側部から溝幅内に突出するように形成されている。第１凸部５３の上面にはテーパ面５３ａが形成され、下面には係合面５３ｂが形成されている。一方、第２凸部５５は、第１凸部５３よりも脚部３７の先端側にあって、溝部５１の上記第１凸部５３とは反対側の側部から溝幅内に突出するように形成されている。この第２凸部５５は、図４（ｂ）に示すように、側壁３９の縦断面を見たときに、上側テーパ面５５ａ及び下側テーパ面５５ｂからなる山型状をなしている。なお、図４（ａ），（ｂ）には、一方の側壁３９に設けた溝部５１内に設けた上記各凸部５３，５５しか示されていないが、対向する他方の側壁３９にも上記と同様な溝部５１と、各凸部５３，５５が形成されている。
【００２８】
次に、図５及び図６を参照して、上記グロメット３０に装着されるピン状部材６０について説明する。
【００２９】
このピン状部材６０は、前記グロメット３０のフランジ部３１に適合する外径の円板状の頭部６１を有しており、この頭部６１の下面から、前記弾性係合片４５,４５の両側部に設けたスリット４３,４３に差し込まれる一対の差込片６３,６３が、互いに平行となるように所定間隔をあけて延設されている。また、各差込片６３,６３は、図１及び図５（ｃ）に示すごとく軸方向から見たときに、略Ｈ字状となるように、その幅方向中央部が連結壁６５によって連結された形状をなしている。
【００３０】
各差込片６３の内側面には、連結壁６５の両側に位置して、差込片６３の下辺に向けてハの字状に広がる切欠溝６７が形成されている。そして、この切欠溝６７の外側には、前記弾性係合片４５の摺動突起４９が当接するカム７０が形成されている。図６（ａ）を参照すると、カム７０は、差込片６３の先端側から基端側に向けて、摺動突起４９を脚部３７の内方に導くように傾斜した第１斜面部７１と（図７（ａ）参照）、該第１斜面部７１の終端から差込片６３の軸方向に沿って所定長さで直線状に伸びて、摺動突起４９を脚部３７の最も内方に位置させる頂部７３と（図８（ａ）参照）、該頂部７３の終端から摺動突起４９を脚部３７の外方に導くように傾斜した第２斜面部７５と（図９（ａ）参照）、該第２斜面部７５の終端から差込片６３の軸方向に沿って所定長さで伸びる開放部７７とを有している。第２斜面部７５及び開放部７７は、差込片６３の連結壁６５両側に形成された貫通孔６９に隣接しており、弾性係合片４５が内側に撓んで摺動突起４９が内方に移動するのを妨げないようになっている。
【００３１】
そして、前記摺動突起４９間の距離Ｄ１（図２（ａ）参照）は、カム７０の頂部７３,７３間の距離Ｄ２（図６（ａ））より大きく設定されている。したがって、グロメット３０に対してピン状部材６０を押し込むとき、弾性係合片４５の摺動突起４９が、上記カム７０の第１斜面部７１、頂部７３、第２斜面部７５、開放部７７に順次当接し、弾性係合片４５を内側に撓ませた後、再び外側に開かせるようになっている。そして、摺動突起４９が開放部７７に位置するときには、弾性係合片４５は、最大限に開くことができると共に、内側にも自由に撓める状態となる。
【００３２】
また、各差込片６３を連結する連結壁６５の基部は、頭部６１に向かって次第に拡径するテーパ壁を有し、このテーパ壁がロック部８１を構成している。このロック部８１は、図１０（ａ）に示すように、グロメット３０に対してピン状部材６０が最大限に押し込まれた状態で、弾性係合片４５の内側に当接して、弾性係合片４５の内方への撓みを規制するようになっている。
【００３３】
図５及び図６に示すように、上記各差込片６３の外側面の幅方向中央部には、ピン状部材の押込方向に沿って、差込片６３の先端側から基部側に向かって所定間隔をあけて、第１突起８３、第２突起８５、第３突起８７が設けられている。この場合、差込片６３の中心線Ｓ２に対して、第１突起８３、第２突起８５は右側に配置され、第３突起８７は左側に配置されている。これらの第１突起８３、第２突起８５、第３突起８７は、ピン状部材６０をグロメット３０に押し込むとき、前記グロメット３０の溝部５１に挿入され、第１突起８３は第２凸部５５に係合し、第２突起８５及び第３突起８７は第１凸部５３に係合するようになっている。
【００３４】
すなわち、第１突起８３の上下両面には、それぞれ上側テーパ面８３ａ及び下側テーパ面８３ｂが設けられている。また、第２突起８５は、その上面に差込片６３の軸方向に直交する係合面８５ａが形成され、下面にテーパ面８５ｂが形成されている。更に、第３突起８７には、上下両面にそれぞれ上側テーパ面８７ａ及び下側テーパ面８７ｂが設けられている。なお、図６（ｂ）に示すように、第３突起８７の上側テーパ面８７ａから、第１突起８３の下側テーパ面８３ｂまでの距離Ｌ２は、前述した第１凸部５３の係合面５３ｂから、第２凸部５５の上側テーパ面５５ａの下端までの距離Ｌ１（図４（ｂ）参照）に等しいかそれよりも若干小さく設定されている。
【００３５】
そして、グロメット３０に対してピン状部材６０を押し引きした際に、上記各突起８３，８５，８７は、前述したグロメット３０の各凸部５３，５５に所定の位置で係合して、グロメット３０に対してピン状部材６０を所定位置に保持させるようになっている。
【００３６】
具体的には、図８（ｂ）に示すように、第１凸部５３の上側テーパ面５３ａ及び係合面５３ｂ（本発明における第１凸部の前後）に、第３突起８７の下側テーパ面８７ｂと、第２突起８５の係合面８５ａとがそれぞれ係合し、その結果、図８（ａ）に示すように、摺動突起４９がカム７０の頂部７３に位置するように、ピン状部材６０をグロメット３０に押し込んだ状態で、ピン状部材６０をグロメット３０に仮保持させるようになっている。このときの、第１凸部５３と、第２突起８５及び第３突起８７とが、本発明における第１係合部をなしている。
【００３７】
また、図９（ｂ）に示すように、第１凸部５３の係合面５３ｂ（本発明における第１凸部の後方）に、第３突起８７の上側テーパ面８７ａが係合し、第２凸部５５の上側テーパ面５５ａ（本発明における第２凸部の前方）に、第１突起８３の下側テーパ面８３ｂが係合して、その結果、図９（ａ）に示すように、摺動突起４９がカム７０の開放部７７に位置し、かつ、ロック部８１が弾性係合片４５に当接していない状態で、ピン状部材６０をグロメット３０に仮保持させるようになっている。このときの、第１凸部５３及び第３突起８７と、第２凸部５５と第１突起８３とが、本発明における第２係合部をなしている。
【００３８】
更に、図１０（ｂ）に示すように、第２凸部５５の下側テーパ面５５ｂ（本発明における第２凸部の後方）に、第１突起８３の上側テーパ面８３ａが係合して、その結果、摺動突起４９が開放部７７に位置し、かつ、ロック部８１が弾性係合片４５に当接した状態で、ピン状部材６０をグロメット３０に保持させるようになっている。このときの、第２凸部５５と第１突起８３とが、本発明における第３係合部をなしている。
【００３９】
なお、上記の図９（ｂ）に示すように、グロメット３０に対してピン状部材６０が仮保持された状態において、その際の第２係合部による保持力は、その状態でピン状部材６０を押しながら、グロメット３０の脚部３７を被取付部材１の取付孔５に押し込む際に、弾性係合片４５と取付孔５内周との摺接によって発生する抵抗力よりも強くなるように設定されている。
【００４０】
次に、上記クリップ１０の使用方法について説明する。
【００４１】
まず、クリップ１０を取付ける際には、図１に示すように、グロメット３０に形成されたスリット４３，４３に、ピン状部材６０の一対の差込片６３，６３を整合させて、グロメット３０にピン状部材６０を押し込んでいく。すると、図７（ａ）に示すように、摺動突起４９が、カム７０の第１斜面部７１に当接して弾性係合片４５が脚部３７の内方に撓みつつ、第１斜面部７１に沿って摺動突起４９が移動していく。その際、図７（ｂ）に示すように、ピン状部材６０の各突起８３，８５，８７が、グロメット３０の溝部５１内に挿入されて、ピン状部材の押し込み方向に沿ってスライドするようになっている。このように、各突起８３，８５，８７が溝部５１にスライド可能に挿入されるので、ピン状部材６０がグロメット３０にガイドされてスムーズに挿入可能となる共に、各凸部５３，５５に対する係合を確実に行わせることができる。
【００４２】
そして、摺動突起４９がカム７０の頂部７３に至ると、図８（ａ）に示すように、弾性係合片４５が脚部３７の内方に最大限に撓んだ状態になる。なお、図８（ａ）における部分拡大図は、摺動突起４９の部分で切った断面を表している。また、このとき、第２突起８５のテーパ面８５ｂ上を第１凸部５３が摺接しつつ第２突起８５を乗り越えて、第２突起８５及び第３突起８７の間に第１凸部５３が入り込み、図８（ｂ）に示すように、第１凸部５３の上側テーパ面５３ａ及び係合面５３ｂに、第３突起８７の下側テーパ面８７ｂと、第２突起８５の係合面８５ａとがそれぞれ係合する。その結果、図８（ａ）に示すように、摺動突起４９がカム７０の頂部７３に位置した状態で、ピン状部材６０がグロメット３０に仮保持される。以上が本発明における第１係合部による係合である。なお、前述したように、各摺動突起４９間の距離Ｄ１は、頂部７３，７３間の距離Ｄ２よりも大きく設定されているが、上記の状態で弾性係合片４５が取付孔５の裏側周縁に係合しない程度に内方に撓むように、上記Ｄ１，Ｄ２が設定されている。
【００４３】
上記状態から、更にピン状部材６０が押し込まれると、図９（ａ）に示すように、摺動突起４９がカム７０の第２斜面部７７に当接して、弾性係合片４５が再び脚部３７の外方に開き始め、摺動突起４９が第２斜面部７７に沿って移動して開放部７７に至ると、弾性係合片４５が脚部３７の内方へ撓み可能な状態で、最大限に外方に開いた状態となる。それと共に、第１凸部５３が第３突起８７の下側テーパ面８７ｂ上を摺接しつつ、第２突起８５及び第３突起８７の間から抜け出て、図９（ｂ）に示すように、第１凸部５３の係合面５３ｂに、第３突起８７の上側テーパ面８７ａが係合し、かつ、第２凸部５５の上側テーパ面５５ａに、第１突起８３の下側テーパ面８３ｂが係合して、図９（ａ）に示される状態で、ピン状部材６０がグロメット３０に仮保持される。以上が本発明における第２係合部による係合である。
【００４４】
上記のように、第２係合部によりグロメット３０にピン状部材６０を仮保持させた状態で、被取付部材１の取付孔５の表側から、ピン部材６０を押しつつ、グロメット３０を挿入していくと、取付孔５の内周に外方突出面４６が押圧されて、弾性係合片４５が脚部３７の内方へ撓み、被取付部材１の厚さに応じて、弾性係合片４５の下側段部４７又は上側段部４８が、取付孔５の裏側周縁に係合する（図１１参照）。この実施形態の場合は、図１０に示すように、上側段部４８が係合するようになっている。こうして、取付孔５の表側周縁にグロメット３０のフランジ部３１が係合すると共に、取付孔５の裏側周縁には弾性係合片４５の上側段部４８が係合し、フランジ部３１と弾性係合片４５との間で被取付部材１を挟持して、クリップ１０を被取付部材１に固定することができる。
【００４５】
なお、このとき、図９（ｂ）に示すグロメット３０にピン状部材６０が仮保持された状態における第２係合部による保持力は、その状態でピン状部材６０を押しながら、グロメット３０の脚部３７を被取付部材１の取付孔５に押し込む際に、弾性係合片４５と取付孔５内周との摺接によって発生する抵抗力よりも強くなるように設定されているので、ピン状部材６０を押して、グロメット３０を取付孔５へ挿入しても、ピン状部材６０が完全にグロメット３０に押し込まれてしまうことなく、弾性係合片４５が内側に撓んで取付孔５を通過して取付孔５の裏側周縁に係合し、クリップ１０を固定することができる。
【００４６】
ところで、上記状態では、摺動突起４９がカム７０の開放部７７に位置しているので、弾性係合片４５が内方へ撓む可能性がある。したがって、ピン状部材６０を更に押圧して、グロメット３０に対して最大限に押し込むと、第１突起８３が第２凸部５５の上側テーパ面５５ａ上を摺接しつつ、第２凸部５５を乗り越えて、図１０（ｂ）に示すように、第２凸部５５の下側テーパ面５５ｂに、第１突起８３の上側テーパ面８３ａが係合し、それと共に、図１０（ａ）に示すように、ロック部８１が弾性係合片４５の内側に当接して、弾性係合片４５の内方への撓みが規制された状態となる。したがって、取付孔５に対して横方向の力などがクリップに作用しても、弾性係合片４５が内側に撓むことがなく、クリップ１０のガタ付きや抜けを防止して、固定状態を確実に維持することができる。
【００４７】
そして、クリップ１０を被取付部材１から取外したい場合には、フランジ部３１の工具差込溝３５に、マイナスドライバ等の工具を差し込んで、該工具を梃子のように用い、頭部６１をこじあけるようにして、グロメット３０に対してピン状部材６０を引き抜いていく。すると、摺動突起４９が第２斜面部７５を前記とは逆方向に移動して、弾性係合片４５が次第に脚部３７の内方に撓み、摺動突起４９が頂部７３に当接して弾性係合片４５が最大限に内方に撓んだ状態で、第２突起８５及び第３突起８７の間に第１凸部５３が入り込んで、図８（ｂ）に示すように、第１凸部５３の上側テーパ面５３ａ及び係合面５３ｂに、第３突起８７の下側テーパ面８７ｂと、第２突起８５の係合面８５ａとがそれぞれ係合して、再度、図８（ａ）に示す状態で、ピン状部材６０をグロメット３０に仮保持させることができる（第１係合部による係合）。そして、この状態では前述したように、弾性係合片４５が取付孔５に係合しない程度に内方に撓んでいるので、グロメット３０の脚部３７を取付孔５からスムーズに抜き出して、クリップ１０を容易に取外すことができる。
【００４８】
なお、上記実施形態においては、グロメット３０の脚部３７に溝部５１及び各凸部５３，５５を設け、ピン状部材６０の差込片６３に各突起８３，８５，８７を設けたが、差込片６３側に溝部５１及び各凸部５３，５５を設け、脚部３７に各突起８３，８５，８７を設けてもよい。
【図面の簡単な説明】
【００４９】
【図１】本発明の２ピースクリップの一実施形態を示す分解斜視図である。
【図２】同２ピースクリップを構成するグロメットを示しており、（ａ）は側面図、（ｂ）は正面図である。
【図３】同２ピースクリップを構成するグロメットの平面図である。
【図４】同２ピースクリップのグロメットを示しており、（ａ）は図２のＡ−Ａ矢視線における断面図、（ｂ）は図２のＢ−Ｂ矢視線における断面図である。
【図５】同２ピースクリップを構成するピン状部材を示しており、（ａ）は正面図、（ｂ）は側面図、（ｃ）は底面図である。
【図６】同２ピースクリップを構成するピン状部材を示しており、（ａ）は図５（ｃ）のＣ−Ｃ矢視線における断面図、（ｂ）は図５（ｃ）のＥ−Ｅ矢視線における断面図である。
【図７】同２ピースクリップにおいて、グロメットにピン状部材を挿入し始める状態を示しており、（ａ）は一方向から見た場合の断面図、（ｂ）は（ａ）に直交する方向から見た断面図である。
【図８】同２ピースクリップにおいて、グロメットにピン状部材を挿入して第１係合部による係合がなされた状態を示しており、（ａ）は一方向から見た場合の断面図、（ｂ）は（ａ）に直交する方向から見た断面図である。
【図９】同２ピースクリップにおいて、グロメットにピン状部材を挿入して第２係合部による係合がなされた状態を示しており、（ａ）は一方向から見た場合の断面図、（ｂ）は（ａ）に直交する方向から見た断面図である。
【図１０】同２ピースクリップにおいて、グロメットにピン状部材を挿入し、被取付部材に取付けて、第３係合部による係合がなされた状態を示しており、（ａ）は一方向から見た場合の断面図、（ｂ）は（ａ）に直交する方向から見た断面図である。
【図１１】同２ピースクリップを、薄い板厚の被取付部材に固定した場合と、厚い板厚の被取付部材に固定した場合とを示す説明図である。
【符号の説明】
【００５０】
１  被取付部材
５  取付孔
１０  ２ピースクリップ
３０  グロメット
３１  フランジ部
３７  脚部
３９  側壁
４１  側壁
４２  底壁
４３  スリット
４５  弾性係合片
４９  摺動突起
５１  溝部
５３  第１凸部
５５  第２凸部
６０  ピン状部材
６３  差込片
７０  カム
７１  第１斜面部
７３  頂部
７５  第２斜面部
７７  開放部
８１  ロック部
８３  第１突起
８５  第２突起
８７  第３突起
【図１】
2007315517.tif 000003
【図２】
2007315517.tif 000004
【図３】
2007315517.tif 000005
【図４】
2007315517.tif 000006
【図５】
2007315517.tif 000007
【図６】
2007315517.tif 000008
【図７】
2007315517.tif 000009
【図８】
2007315517.tif 000010
【図９】
2007315517.tif 000011
【図１０】
2007315517.tif 000012
【図１１】
2007315517.tif 000013